(57)【要約】【課題】アンテナの受信方向を変更するための駆動電圧が、ＳＴＢに接続された同軸ケーブルの外側導体に、誤配線によって印加された場合であっても、チューナ回路及び電源回路を過電流から保護する。【解決手段】同軸ケーブル５をＳＴＢ１に接続するための同軸コネクタ７を絶縁部材２５を介してＳＴＢ１のシャーシに装着する。同軸コネクタ７とチューナ回路２０との間にポリスイッチ２６を設けると共に、抵抗２７を介して同軸コネクタ７の外側端子とＣＰＵ２４とを接続する。誤配線によって同軸コネクタ７の外側端子に電源電圧が印加されたとき、ポリスイッチ２６によってチューナ回路２０に流れる過電流を遮断すると共に、同軸コネクタ７の外側端子電圧の異常を検知したＣＰＵ２４が、電源回路２２の出力を遮断する。【選択図】図２
2006157378.tif 000002
【特許請求の範囲】
【請求項１】
複数の受信方向を有する多指向性アンテナが、該多指向性アンテナを制御するためのアンテナ制御手段を介して接続される放送受信装置であって、
前記多指向性アンテナ及びアンテナ制御手段を介して放送信号を受信するチューナ回路と、このチューナ回路が受信した放送信号を復調する信号復調回路と、前記チューナ回路及び信号復調回路に電力を供給する電源回路と、上記各回路を制御する制御手段とを備え、
前記アンテナ制御手段と放送受信装置とは、前記多指向性アンテナを制御するための制御信号を前記信号復調手段から該アンテナ制御手段に伝送するための制御信号伝送ライン、前記電源回路から該アンテナ制御手段に所定の電源電圧を印加するための電源電圧ライン、及び放送受信装置のグランドに接続されるグランド接続ラインを有するモジュラケーブルと、このモジュラケーブルと並列に設けられ、前記多指向性アンテナが受信した放送信号を放送受信装置に伝送する第１の同軸ケーブルとを介して互いに接続され、
前記多指向性アンテナは、受信した放送信号を前記アンテナ制御手段に伝送するための第２の同軸ケーブルを介して前記アンテナ制御手段と接続され、該第２の同軸ケーブルの外側導体を介して受信方向を変更するための所定の駆動電圧が印加され、
前記第１の同軸ケーブルは、放送受信装置側に設けられた第１の同軸コネクタによって放送受信装置に接続され、前記アンテナ制御手段側に設けられた第２の同軸コネクタによって該アンテナ制御手段に接続され、
前記第２の同軸ケーブルは、前記アンテナ制御手段側に設けられた第３の同軸コネクタによって該アンテナ制御手段に接続され、前記多指向性アンテナ側に設けられた第４の同軸コネクタによって該多指向性アンテナに接続されている放送受信装置において、
前記第１の同軸コネクタは、該第１の同軸コネクタの外側端子を放送受信装置のグランドから絶縁するための絶縁部材を介して放送受信装置に装着され、
前記チューナと第１の同軸コネクタとの間に設けられたポリスイッチと、前記制御手段と第１の同軸コネクタとの間に設けられた抵抗と、前記制御手段によって制御され、装置各部の動作状態をユーザに通知する動作状態通知手段とをさらに備え、
前記第１の同軸ケーブルが誤って前記第３のコネクタに接続されて、前記多指向性アンテナの受信方向を変更するための駆動電圧が前記第１の同軸コネクタの外側端子に印加されたとき、
前記ポリスイッチは、前記チューナ回路に流れる過電流を遮断して、該チューナ回路を過電流から保護すると共に、
前記制御手段は、前記第１の同軸コネクタの外側端子に印加された駆動電圧を検知して、前記電源回路の出力を遮断し、さらに、前記動作状態通知手段によって、前記アンテナ制御手段と放送受信装置とが誤って接続されたことを作業者に通知させることを特徴とする放送受信装置。
【請求項２】
複数の受信方向を有する多指向性アンテナが、該多指向性アンテナを制御するためのアンテナ制御手段を介して接続される放送受信装置であって、
前記多指向性アンテナ及びアンテナ制御手段を介して放送信号を受信するチューナ回路と、このチューナ回路が受信した放送信号を復調する信号復調回路と、前記チューナ回路及び信号復調回路に電力を供給する電源回路と、上記各回路を制御する制御手段とを備え、
前記アンテナ制御手段と放送受信装置とは、前記多指向性アンテナを制御するための制御信号を前記信号復調手段から該アンテナ制御手段に伝送するための制御信号伝送ライン、前記電源回路から該アンテナ制御手段に所定の電源電圧を印加するための電源電圧ライン、及び放送受信装置のグランドに接続されるグランド接続ラインを有するモジュラケーブルと、前記多指向性アンテナが受信した放送信号を放送受信装置に伝送するための第１の同軸ケーブルとを介して互いに接続され、
前記多指向性アンテナは、受信した放送信号を前記アンテナ制御手段に伝送するための第２の同軸ケーブルを介して前記アンテナ制御手段と接続され、該第２の同軸ケーブルの外側導体を介して受信方向を変更するための所定の駆動電圧が印加され、
前記第１の同軸ケーブルは、放送受信装置側に設けられた第１の同軸コネクタによって放送受信装置に接続され、前記アンテナ制御手段側に設けられた第２の同軸コネクタによって該アンテナ制御手段に接続され、
前記第２の同軸ケーブルは、前記アンテナ制御手段側に設けられた第３の同軸コネクタによって該アンテナ制御手段に接続され、前記多指向性アンテナ側に設けられた第４の同軸コネクタによって該多指向性アンテナに接続されている放送受信装置において、
前記第１の同軸コネクタは、該第１の同軸コネクタの外側端子を放送受信装置のグランドから絶縁するための絶縁部材を介して放送受信装置に装着され、
前記チューナと第１の同軸コネクタとの間に設けられ、該チューナ回路に流れる過電流を遮断する過電流遮断手段をさらに備え、
前記第１の同軸ケーブルが誤って前記第３のコネクタに接続されて、前記多指向性アンテナの受信方向を変更するための駆動電圧が前記第１の同軸コネクタの外側端子に印加されたとき、
前記過電流遮断手段は、前記チューナ回路に流れる過電流を遮断して、該チューナ回路を過電流から保護することを特徴とする放送受信装置。
【請求項３】
前記制御手段が、前記第１の同軸コネクタの外側端子に印加された駆動電圧を検知して、前記電源回路の出力を遮断することを特徴とする請求項２に記載の放送受信装置。
【発明の詳細な説明】
【技術分野】
【０００１】
本発明は、多指向性アンテナに対応する放送受信装置に関するものである。
【背景技術】
【０００２】
近年、多指向性アンテナに対応する放送受信装置（ＳＴＢ：Set Top Box）が実用化され、普及しつつある。多指向性アンテナはアンテナコントローラを介してＳＴＢに接続され、その受信方向が制御される。
【０００３】
図３は、多指向性アンテナ、アンテナコントローラ及びＳＴＢの接続状態を示している。アンテナコントローラ３とＳＴＢ１とは、モジュラケーブル４及び同軸ケーブル５によって互いに接続されている。モジュラーケーブル４は、多指向性アンテナ２を制御するための制御信号を伝送するための制御信号伝送ライン１３、所定の電源電圧を印加するための電源電圧ライン１４、及びＳＴＢ１のグランドに接続されるグランド接続ライン１５を有している。多指向性アンテナ２によって受信した放送信号（ＲＦ信号）は、同軸ケーブル５の内側導体を用いてＳＴＢ１に伝送される。
【０００４】
また、多指向性アンテナ２とアンテナコントローラ３とは、同軸ケーブル６によって互いに接続されている。同軸ケーブル６の内側導体は、多指向性アンテナ２によって受信したＲＦ信号をアンテナコントローラ３に伝送するために用いられており、外側導体は、多指向性アンテナ２の受信方向を変更する際、所定の駆動電圧（１２Ｖ）を印加するために用いられている。
【０００５】
同軸ケーブル５及び６は、同軸コネクタ８及び９によってアンテナコントローラ３に接続されている。ところが、アンテナコントローラ３の仕様によっては、２つの同軸コネクタ８、９として、全く同じ種類のものが用いられていることがある。従って、このようなアンテナコントローラ３に同軸ケーブル５を配線する際には、同軸コネクタ８に接続すべきところ、誤って同軸コネクタ９に接続してしまう虞がある。このような誤配線によって、ＳＴＢ１のチューナ回路に多指向性アンテナ２の受信方向を変更するための駆動電圧が印加されてしまい、ＳＴＢ１のチューナ回路が故障する。また、ＳＴＢ１の電源の出力ラインがグランドに短絡されるので、ＳＴＢ１の電源回路等に過電流が流れ、故障する。
【０００６】
なお、特許文献１には、コンピュータとモニタ装置とが正しく接続されたことを確認した後、モニタ装置に電源を供給するようにしたコンピュータが示されている。また、特許文献２乃至特許文献５には、過電流をポリスイッチ等によって遮断する技術が示されている。
【特許文献１】特開平１１−２４９７６３号公報
【特許文献２】特開２００３−１２５０２３号公報
【特許文献３】特開２００１−２５１４９号公報
【特許文献４】特開２００２−２６２４４８号公報
【特許文献５】特開２００３−１８９４６７号公報
【発明の開示】
【発明が解決しようとする課題】
【０００７】
本発明は、上記課題を解決するためになされたものであり、多指向性アンテナの受信方向を変更するための駆動電圧が、ＳＴＢに接続された同軸ケーブルの外側導体に誤配線によって印加された場合であっても、ＳＴＢのチューナ回路及び電源回路を過電流から保護することができる放送受信装置を提供することを目的とする。
【課題を解決するための手段】
【０００８】
上記目的を達成するために請求項１の発明は、複数の受信方向を有する多指向性アンテナが、該多指向性アンテナを制御するためのアンテナ制御手段を介して接続される放送受信装置であって、多指向性アンテナ及びアンテナ制御手段を介して放送信号を受信するチューナ回路と、このチューナ回路が受信した放送信号を復調する信号復調回路と、チューナ回路及び信号復調回路に電力を供給する電源回路と、上記各回路を制御する制御手段とを備え、アンテナ制御手段と放送受信装置とは、多指向性アンテナを制御するための制御信号を信号復調手段から該アンテナ制御手段に伝送するための制御信号伝送ライン、電源回路から該アンテナ制御手段に所定の電源電圧を印加するための電源電圧ライン、及び放送受信装置のグランドに接続されるグランド接続ラインを有するモジュラケーブルと、このモジュラケーブルと並列に設けられ、多指向性アンテナが受信した放送信号を放送受信装置に伝送する第１の同軸ケーブルとを介して互いに接続され、多指向性アンテナは、受信した放送信号をアンテナ制御手段に伝送するための第２の同軸ケーブルを介してアンテナ制御手段と接続され、該第２の同軸ケーブルの外側導体を介して受信方向を変更するための所定の駆動電圧が印加され、第１の同軸ケーブルは、放送受信装置側に設けられた第１の同軸コネクタによって放送受信装置に接続され、アンテナ制御手段側に設けられた第２の同軸コネクタによって該アンテナ制御手段に接続され、第２の同軸ケーブルは、アンテナ制御手段側に設けられた第３の同軸コネクタによって該アンテナ制御手段に接続され、多指向性アンテナ側に設けられた第４の同軸コネクタによって該多指向性アンテナに接続されている放送受信装置において、第１の同軸コネクタは、該第１の同軸コネクタの外側端子を放送受信装置のグランドから絶縁するための絶縁部材を介して放送受信装置に装着され、チューナと第１の同軸コネクタとの間に設けられたポリスイッチと、制御手段と第１の同軸コネクタとの間に設けられた抵抗と、制御手段によって制御され、装置各部の動作状態をユーザに通知する動作状態通知手段とをさらに備え、第１の同軸ケーブルが誤って第３のコネクタに接続されて、多指向性アンテナの受信方向を変更するための駆動電圧が第１の同軸コネクタの外側端子に印加されたとき、ポリスイッチは、チューナ回路に流れる過電流を遮断して、該チューナ回路を過電流から保護すると共に、制御手段は、第１の同軸コネクタの外側端子に印加された駆動電圧を検知して、電源回路の出力を遮断し、さらに、動作状態通知手段によって、アンテナ制御手段と放送受信装置とが誤って接続されたことを作業者に通知させるものである。
【０００９】
請求項２の発明は、複数の受信方向を有する多指向性アンテナが、該多指向性アンテナを制御するためのアンテナ制御手段を介して接続される放送受信装置であって、多指向性アンテナ及びアンテナ制御手段を介して放送信号を受信するチューナ回路と、このチューナ回路が受信した放送信号を復調する信号復調回路と、チューナ回路及び信号復調回路に電力を供給する電源回路と、上記各回路を制御する制御手段とを備え、アンテナ制御手段と放送受信装置とは、多指向性アンテナを制御するための制御信号を信号復調手段から該アンテナ制御手段に伝送するための制御信号伝送ライン、電源回路から該アンテナ制御手段に所定の電源電圧を印加するための電源電圧ライン、及び放送受信装置のグランドに接続されるグランド接続ラインを有するモジュラケーブルと、多指向性アンテナが受信した放送信号を放送受信装置に伝送するための第１の同軸ケーブルとを介して互いに接続され、多指向性アンテナは、受信した放送信号をアンテナ制御手段に伝送するための第２の同軸ケーブルを介してアンテナ制御手段と接続され、該第２の同軸ケーブルの外側導体を介して受信方向を変更するための所定の駆動電圧が印加され、第１の同軸ケーブルは、放送受信装置側に設けられた第１の同軸コネクタによって放送受信装置に接続され、アンテナ制御手段側に設けられた第２の同軸コネクタによって該アンテナ制御手段に接続され、第２の同軸ケーブルは、アンテナ制御手段側に設けられた第３の同軸コネクタによって該アンテナ制御手段に接続され、多指向性アンテナ側に設けられた第４の同軸コネクタによって該多指向性アンテナに接続されている放送受信装置において、第１の同軸コネクタは、該第１の同軸コネクタの外側端子を放送受信装置のグランドから絶縁するための絶縁部材を介して放送受信装置に装着され、チューナと第１の同軸コネクタとの間に設けられ、該チューナ回路に流れる過電流を遮断する過電流遮断手段をさらに備え、第１の同軸ケーブルが誤って第３のコネクタに接続されて、多指向性アンテナの受信方向を変更するための駆動電圧が第１の同軸コネクタの外側端子に印加されたとき、過電流遮断手段は、チューナ回路に流れる過電流を遮断して、該チューナ回路を過電流から保護するものである。
【００１０】
請求項３の発明は、請求項２に記載の放送受信装置において、制御手段が、第１の同軸コネクタの外側端子に印加された駆動電圧を検知して、電源回路の出力を遮断するものである。
【発明の効果】
【００１１】
請求項１の発明によれば、誤配線によって、多指向性アンテナの受信方向を変更するための駆動電圧が第１の同軸コネクタの外側端子に印加された場合であっても、ポリスイッチが、チューナ回路に流れる過電流を遮断するので、チューナ回路を過電流から保護することができる。また、第１の同軸コネクタは、絶縁部材を介して放送受信装置に装着されているので、誤って配線された場合であっても電源回路の出力ラインが放送受信装置のグランドに短絡されることがなく、電源回路を過電流から保護することができる。また、制御手段が第１の同軸コネクタの外側端子に印加された駆動電圧を検知して電源回路の出力を遮断するので、放送受信装置の安全性をさらに高めることができる。さらに、動作状態通知手段によって、アンテナ制御手段と放送受信装置とが誤って接続されたことを作業者に通知させるので、これを受けた作業者は直ちに誤配線に気付き、配線をやり直すことができる。
【００１２】
請求項２の発明によれば、誤配線によって、多指向性アンテナの受信方向を変更するための駆動電圧が第１の同軸コネクタの外側端子に印加された場合であっても、ポリスイッチが、チューナ回路に流れる過電流を遮断するので、チューナ回路を過電流から保護することができる。また、第１の同軸コネクタは、絶縁部材を介して放送受信装置に装着されているので、誤って配線された場合であっても電源回路の出力ラインが放送受信装置のグランドに短絡されることがなく、電源回路を過電流から保護することができる。
【００１３】
請求項３の発明によれば、制御手段が第１の同軸コネクタの外側端子に印加された駆動電圧を検知して電源回路の出力を遮断するので、放送受信装置の安全性をさらに高めることができる。
【発明を実施するための最良の形態】
【００１４】
本発明を実施するための最良の実施形態による放送受信装置（ＳＴＢ）について図面を参照して説明する。図１はＳＴＢの概略構成と、ＳＴＢに多指向性アンテナ、及びアンテナコントローラが正常に接続された状態を示している。
【００１５】
ＳＴＢ１には、複数の受信方向を有する多指向性アンテナ２が、アンテナコントローラ（アンテナ制御手段）３を介して接続されている。ＳＴＢ１とアンテナコントローラ３とは、モジュラケーブル４及び同軸ケーブル（第１の同軸ケーブル）５によって接続されている。多指向性アンテナ２とアンテナコントローラ３とは、同軸ケーブル（第２の同軸ケーブル）６によって接続されている。
【００１６】
同軸ケーブル５は、ＳＴＢ１の側に設けられた第１の同軸コネクタ７によってＳＴＢ１と接続され、アンテナコントローラ３の側に設けられた第２の同軸コネクタ８によってアンテナコントローラ３に接続される。一方、同軸ケーブル６は、アンテナコントローラ３の側に設けられた第３の同軸コネクタ９によってアンテナコントローラ３に接続され、多指向性アンテナ２の側に設けられた第４の同軸コネクタ１０によって多指向性アンテナ２に接続されている。
【００１７】
多指向性アンテナ２は、互いの指向性が略９０゜ずつ隔てて異なる方向を向くように配置された４本のアンテナ１１を有し、各アンテナ１１の単体出力又は隣接する２本のアンテナ１１を組み合わせた各出力のうち、いずれか１つを選択してアンテナコントローラ３に出力することにより、受信方向を変更する。多指向性アンテナ２の受信方向を変更するための駆動電圧（１２Ｖ）は、同軸ケーブル６の外側導体によって印加される。また、多指向性アンテナ２によって受信したＲＦ信号は、同軸ケーブル６の内側導体によってアンテナコントローラ３に伝送される。
【００１８】
アンテナコントローラ３は、モジュラケーブル４が接続されるモジュラコネクタ１２及び同軸ケーブル５及び６が接続される同軸コネクタ８及び９を有し、ＳＴＢ１から出力される制御信号に応じて、多指向性アンテナ２の指向性を制御すると共に、多指向性アンテナ２から伝送されたＲＦ信号をＳＴＢ１に転送する。
【００１９】
モジュラケーブル４は、多指向性アンテナ２を制御するための制御信号を伝送するための制御信号伝送ライン１３、アンテナコントローラ３に所定の電源電圧（１２Ｖ）を印加するための電源電圧ライン１４、及びＳＴＢ１のグランドに接続されるグランド接続ライン１５を有している。
【００２０】
同軸ケーブル５の内側導体は、同軸ケーブル６の内側導体によってアンテナコントローラ３に伝送されたＲＦ信号をＳＴＢ１に伝送する。同軸ケーブル５の外側導体は、同軸コネクタ８の外側端子を介して、アンテナコントローラ３のグランドに接地されている。
【００２１】
ＳＴＢ１は、同軸ケーブル５が接続される第１の同軸コネクタ７と、第１の同軸コネクタ７を介してＲＦ信号を受信するチューナ回路２０と、チューナ回路２０が受信したＲＦ信号を復調するデモジュレータ（信号復調回路）２１と、チューナ回路２０及びデモジュレータ２１等に電力を供給する電源回路２２と、装置各部の動作状態を画像又は音声にてユーザに通知する動作状態通知部（動作状態通知手段）２３と、上記各回路を制御するＣＰＵ（制御手段）２４等を備えている。
【００２２】
第１の同軸コネクタ７は、その外側端子をＳＴＢ１のグランドから絶縁するための絶縁部材２５を介してＳＴＢ１のシャーシに装着されている。第１の同軸コネクタ７とチューナ回路２０との間には、過電流時の発熱により電流を遮断するポリスイッチ２６が設けられている。このポリスイッチ２６は、所定の温度に低下すれば再び接続状態に復帰するという特性を有しているので、誤配線からの復帰を容易なものとすることができる。また、第１の同軸コネクタ７は、抵抗２７を介してＣＰＵ２４に接続されている。
【００２３】
図２は、同軸ケーブル５のアンテナコントローラ３の側の端子が、誤って第３のコネクタ９に接続されてしまった状態を示している。このような場合においては、多指向性アンテナ２の受信方向を変更するための駆動電圧（１２Ｖ）が第１の同軸コネクタ７の外側端子に印加されることになる。本実施の形態においては、第１の同軸コネクタ７とチューナ回路２０との間にポリスイッチ２６が設けられているので、チューナ回路２０に流れる過電流が遮断され、チューナ回路２０が過電流から保護される。また、抵抗２７を介して第１の同軸コネクタ７の外側端子に印加された駆動電圧を検知したＣＰＵ２４は、電源回路２２の出力を遮断すると共に、アンテナコントローラ３とＳＴＢ１とが誤って接続された旨の信号を動作状態通知部２３に出力する。この信号を受けた動作状態通知部２３は、作業者に所定のメッセージを表示したり、所定の音声を出力することにより、作業者に誤配線がなされた旨を通知する。
【００２４】
以上のように、本実施の形態のＳＴＢ１によれば、誤配線によって、多指向性アンテナ２の受信方向を変更するための駆動電圧が第１の同軸コネクタ７の外側端子に印加された場合であっても、ポリスイッチ２６が、チューナ回路２０に流れる過電流を遮断するので、チューナ回路２０を過電流から保護することができる。また、第１の同軸コネクタ７は、絶縁部材２５を介してＳＴＢ１に装着されているので、誤った配線をした場合であっても電源回路２２の出力ラインがＳＴＢ１のグランドに短絡されることがなくなり、電源回路２２を過電流から保護することができる。また、ＣＰＵ２４が第１の同軸コネクタ７の外側端子に印加された駆動電圧を検知して電源回路２２の出力を遮断するので、ＳＴＢ１の安全性をさらに高めることができる。さらに、動作状態通知部２３によって、アンテナコントローラ３とＳＴＢ１とが誤って接続されたことを作業者に通知させるので、これを受けた作業者は直ちに誤配線に気付き、配線をやり直すことができる。
【００２５】
なお、本発明は上記実施形態の構成に限られることなく種々の変形が可能であり、例えば、第１の同軸コネクタ７とチューナ回路２０との間に設けられる過電流を遮断するための部品としては、上述した接続状態に復帰可能な特性を有するポリスイッチ２６が最も望ましいが、これに限られることなく他の電流遮断部品であってもよい。
【００２６】
また、ＣＰＵ２４が第１の同軸コネクタ７の外側端子の電圧の異常を検知したときには、電源回路２２の出力を遮断するか、又は動作状態通知部２３に所定のメッセージを表示させるか、のいずれかの処理を行うように、ＣＰＵ２４の動作プログラムを構成してもよい。
【図面の簡単な説明】
【００２７】
【図１】本発明の一実施形態によるＳＴＢの概略構成と、ＳＴＢに多指向性アンテナ、及びアンテナコントローラが正常に接続された状態を示すブロック図。
【図２】ＳＴＢに多指向性アンテナ、及びアンテナコントローラが誤って接続された状態を示すブロック図。
【図３】多指向性アンテナ、アンテナコントローラ及び放送受信装置の接続状態を示す図。
【符号の説明】
【００２８】
１    ＳＴＢ（放送受信装置）
２    多指向性アンテナ
３    アンテナコントローラ（アンテナ制御手段）
４    モジュラケーブル
５    同軸ケーブル（第１の同軸ケーブル）
６    同軸ケーブル（第２の同軸ケーブル）
７    第１の同軸コネクタ
８    第２の同軸コネクタ
９    第３の同軸コネクタ
１０    第４の同軸コネクタ
１３    制御信号伝送ライン
１４    電源電圧ライン
１５    グランド接続ライン
２０    チューナ回路
２１    デモジュレータ（信号復調回路）
２２    電源回路
２３    動作状態通知部（動作状態通知手段）
２４    ＣＰＵ（制御手段）
２５    絶縁部材
２６    ポリスイッチ
２７    抵抗
【図１】
2006157378.tif 000003
【図２】
2006157378.tif 000004
【図３】
2006157378.tif 000005